(57)【要約】【課題】肌の適切な位置をマッサージすることができる美容器具を提供する。【解決手段】一方の手の指に装着される一方側装着部１と、他方の手の指に装着される他方側装着部２と、長尺形状で且つ伸縮可能に形成され、一端部５ａに一方側装着部１を連結すると共に他端部５ｂに他方側装着部２を連結する連結部３とを備え、一方側装着部１を装着した指が肌の第１の位置に配置されることにより、他方側装着部２を装着した指が連結部３の張力に従って肌の第２の位置にガイドされ、第１の位置と第２の位置がマッサージされる。【選択図】図１
0003203485.tif 000002
【実用新案登録請求の範囲】
【請求項１】
一方の手の指に装着される一方側装着部と、
他方の手の指に装着される他方側装着部と、
長尺形状で且つ伸縮可能に形成され、一端部に前記一方側装着部を連結すると共に他端部に前記他方側装着部を連結する連結部と
を備え、
前記一方側装着部を装着した指が肌の第１の位置に配置されることにより、前記他方側装着部を装着した指が前記連結部の張力に従って肌の第２の位置にガイドされ、前記第１の位置と前記第２の位置をマッサージするための美容器具。
【請求項２】
前記一方側装着部は、前記一方の手の２本の指に装着される２つの一方側装着部であり、互いに分離して設けられ、
前記他方側装着部は、前記他方の手の２本の指に装着される２つの他方側装着部であり、互いに接合して設けられ、
前記連結部は、２つの前記一端部と、１つの前記他端部とを有し、２つの前記一端部が前記２つの一方側装着部に対応して連結されると共に１つの前記他端部が前記２つの他方側装着部の間に連結される請求項１に記載の美容器具。
【請求項３】
前記一方側装着部と前記他方側装着部のうち少なくとも一方は、指を覆うように袋状に形成され、肌に接触する外面に美容用液体を吸収した液体吸収部を有し、
前記連結部は、前記一端部が前記一方側装着部に装着される指の腹側に連結されると共に前記他端部が前記他方側装着部に装着される指の背側に連結される請求項１または２に記載の美容器具。
【請求項４】
前記連結部の長さを調節する長さ調節部と、
前記連結部を前記一方側装着部および前記他方側装着部に対して着脱可能に連結する着脱部と
をさらに有する請求項１〜３のいずれか一項に記載の美容器具。
【請求項５】
前記第１の位置に対して前記連結部が延びる方向を前記第２の位置へ規制する規制部をさらに有する請求項１〜４のいずれか一項に記載の美容器具。
【考案の詳細な説明】
【技術分野】
【０００１】
この考案は、美容器具に係り、特に、指に装着して肌をマッサージするための美容器具に関する。
【背景技術】
【０００２】
近年、美容分野において、肌をマッサージするための様々な美容器具が提案されている。美容器具としては、肌にあてて直接的にマッサージに用いられるものだけでなく、使用者を補助して間接的にマッサージに用いられるものも提案されている。
【０００３】
例えば、特許文献１には、患部への接触位置や接触角度を自在に調整できると共に楽にマッサージすることができるマッサージ用補助具が提案されている。このマッサージ用補助具は、親指から人差し指にわたって宛がわれるＵ字型の挟持体が接離方向、横方向および前後方向に弾性をもって屈曲自在に設けられている。このため、患部を挟むように挟持体を宛がってマッサージすると、患部への接触位置や接触角度を自在に調整することができ、さらに挟持体の弾性力により楽にマッサージすることができる。
【先行技術文献】
【特許文献】
【０００４】
【特許文献１】特開２００３−２７５２６２号公報
【考案の概要】
【考案が解決しようとする課題】
【０００５】
しかしながら、美容器具でマッサージする肌の位置は、一般的に、使用者の感覚に応じて決定されるため、適切な位置をマッサージすることが困難であった。特に、肌の複数の位置を同時にマッサージする場合には、使用者はそれぞれの位置を正確に認識することが困難であり、所望の美容効果が得られないおそれがあった。
【０００６】
この考案は、このような従来の問題点を解消するためになされたもので、肌の適切な位置を容易にマッサージすることができる美容器具を提供することを目的とする。
【課題を解決するための手段】
【０００７】
この考案に係る美容器具は、一方の手の指に装着される一方側装着部と、他方の手の指に装着される他方側装着部と、長尺形状で且つ伸縮可能に形成され、一端部に一方側装着部を連結すると共に他端部に他方側装着部を連結する連結部とを備え、一方側装着部を装着した指が肌の第１の位置に配置されることにより、他方側装着部を装着した指が連結部の張力に従って肌の第２の位置にガイドされ、第１の位置と第２の位置をマッサージするためのものである。
【０００８】
ここで、一方側装着部は、一方の手の２本の指に装着される２つの一方側装着部であり、互いに分離して設けられ、他方側装着部は、他方の手の２本の指に装着される２つの他方側装着部であり、互いに接合して設けられ、連結部は、２つの一端部と、１つの他端部とを有し、２つの一端部が２つの一方側装着部に対応して連結されると共に１つの他端部が２つの他方側装着部の間に連結されることが好ましい。
【０００９】
また、一方側装着部と他方側装着部のうち少なくとも一方は、指を覆うように袋状に形成され、肌に接触する外面に美容用液体を吸収した液体吸収部を有し、連結部は、一端部が一方側装着部に装着される指の腹側に連結されると共に他端部が他方側装着部に装着される指の背側に連結されることが好ましい。
【００１０】
また、連結部の長さを調節する長さ調節部と、連結部を一方側装着部および他方側装着部に対して着脱可能に連結する着脱部とをさらに有することができる。
【００１１】
また、第１の位置に対して連結部が延びる方向を第２の位置へ規制する規制部をさらに有することが好ましい。
【考案の効果】
【００１２】
この考案によれば、長尺形状で且つ伸縮可能に形成され、一端部に一方側装着部を連結すると共に他端部に他方側装着部を連結する連結部を備えるので、肌の適切な位置を容易にマッサージすることができる美容器具を提供することが可能となる。
【図面の簡単な説明】
【００１３】
【図１】この考案の実施の形態１に係る美容器具の構成を示し、（Ａ）は美容器具の底面図、（Ｂ）は美容器具の側面図である。
【図２】一方側装着部と他方側装着部を右手と左手に装着した様子を示す図である。
【図３】肌をマッサージする様子を示す図である。
【図４】実施の形態２に係る美容器具の構成を示す図である。
【図５】実施の形態３に係る美容器具の要部を示す図である。
【図６】実施の形態４に係る美容器具の構成を示す図である。
【図７】実施の形態５に係る美容器具の要部を示す図である。
【図８】実施の形態６に係る美容器具の要部を示す図である。
【図９】実施の形態１の変形例に係る美容器具の構成を示す図である。
【考案を実施するための形態】
【００１４】
以下、この考案の実施の形態を添付図面に基づいて説明する。
実施の形態１
図１（Ａ）および（Ｂ）に、この考案の実施の形態１に係る美容器具の構成を示す。この美容器具は、一方の手の２本の指に装着される２つの一方側装着部１と、他方の手の２本の指に装着される２つの他方側装着部２と、連結部３とを有する。
【００１５】
２つの一方側装着部１は、互いに分離して設けられ、それぞれ一方の手の人差し指と中指を覆う指サックのような袋状に形成されている。すなわち、一方側装着部１には、指を挿入するための開口部Ｐ１が形成されており、この開口部Ｐ１を介して指を挿入することにより一方側装着部１が指に装着される。また、開口部Ｐ１の縁部には、装着された指を周囲から押圧して指が抜けることを防止する抜け防止部１ａが配置されている。さらに、開口部Ｐ１の近傍には、連結部３を連結するための固定部４が配置されている。固定部４は、装着される指の腹側に位置する一方側装着部１の内側部Ｔａを貫通するように設けられ、その縁部を金属などの硬質な材料で囲むように形成されている。
【００１６】
２つの他方側装着部２は、互いに分離して設けられ、それぞれ他方の手の人差し指と中指を覆う指サックのような袋状に形成されている。すなわち、他方側装着部２には、指を挿入するための開口部Ｐ２が形成されており、この開口部Ｐ２を介して指を挿入することにより他方側装着部２が指に装着される。また、開口部Ｐ２の縁部には、装着された指を周囲から押圧して指が抜けることを防止する抜け防止部２ａが配置されている。
なお、一方側装着部１と他方側装着部２は、例えば、樹脂材料などから構成することができ、シリコン樹脂から構成することが好ましい。
【００１７】
連結部３は、長尺形状で且つ弾性を有し、一端部５ａに２つの一方側装着部１を連結すると共に他端部５ｂに２つの他方側装着部２を連結する。具体的には、連結部３は、１つの他端部５ｂと、他端部５ｂから互いに分岐して延びる２つの一端部５ａとを有し、２つの一端部５ａが２つの一方側装着部１に対応して連結されると共に１つの他端部５ｂが２つの他方側装着部２の間に連結される。
この時、一端部５ａは、一方側装着部１の固定部４に固定されている。一方、他端部５ｂは、２つの他方側装着部２において内側部Ｔａの反対側に位置する外側部Ｔｂに融着されることにより、２つの他方側装着部２を互いに接続するように固定されている。すなわち、連結部３は、図２に示すように、一端部５ａが一方側装着部１に装着される指の腹側に連結されると共に他端部５ｂが他方側装着部２に装着される指の背側に連結されることになる。また、２つの他方側装着部２は、連結部３の他端部５ｂを介して互いに接続されている。
【００１８】
次に、この美容器具を用いた肌のマッサージ方法について説明する。
まず、図２に示すように、２つの一方側装着部１内に開口部Ｐ１を介して右手Ｈ１の人差し指と中指を挿入する。この時、指の腹側に一方側装着部１の内側部Ｔａが位置するように挿入する。そして、一方側装着部１内の奥まで指を挿入することにより、一方側装着部１が右手Ｈ１の人差し指と中指に装着される。一方、２つの他方側装着部２内には開口部Ｐ２を介して左手Ｈ２の人差し指と中指を挿入する。この時、指の背側に他方側装着部２の外側部Ｔｂが位置するように挿入する。そして、他方側装着部２内の奥まで指を挿入することにより、他方側装着部２が左手Ｈ２の人差し指と中指に装着される。
【００１９】
ここで、抜け防止部１ａと抜け防止部２ａが一方側装着部１と他方側装着部２に装着された指を押圧するため、一方側装着部１と他方側装着部２が指から抜けることを防止することができる。なお、一方側装着部１と他方側装着部２は、それぞれ指に密着するような素材から構成することが好ましく、これにより一方側装着部１と他方側装着部２が指から抜けることを確実に防止することができる。
【００２０】
続いて、図３（Ａ）に示すように、一方側装着部１を装着した右手Ｈ１の指を顔Ｆのほほ部に配置する。これにより、他方側装着部２を装着した左手Ｈ２の指が連結部３の張力に従って首筋部にガイドされる。すなわち、連結部３は、ほほ部と首筋部との間の距離に応じた長さで形成されており、美容器具の使用者は、連結部３が撓まないように、連結部３が張られた状態を維持しつつ左手Ｈ２を一方側装着部１の真下に移動させることにより、他方側装着部２を装着した指が自然と首筋部に配置される。
この時、連結部３は、２つの一端部５ａが２つの一方側装着部１に対応して連結されると共に１つの他端部５ｂが２つの他方側装着部２の間に連結されているため、連結部３の張力を左手Ｈ２の１点で感じることができ、左手Ｈ２の指を首筋部に正確にガイドすることができる。
【００２１】
これにより、一方側装着部１を装着した右手Ｈ１の指がほほ部に配置されると共に他方側装着部２を装着した左手Ｈ２の指が首筋部に配置され、ほほ部と首筋部を同時にマッサージすることができる。ここで、連結部３は弾性により伸縮可能に形成されており、図３（Ｂ）に示すように、ほほ部と首筋部との間隔を広げるように、すなわちほほ部を上方向に延ばすと共に首筋部を下方向に延ばすようにマッサージすることができる。
一般的に、年齢などに伴って顔Ｆが平面的になる傾向があるが、ほほ部と首筋部を同時にマッサージすることにより、ほほ部などに蓄積した疲労物質を効率的に取り除くことができ、ほほ部および目尻などをリフトアップすることができる。
【００２２】
また、２つの一方側装着部１が互いに分離して設けられているため、ほほ部を細かくマッサージすることができ、ほほ部をより効果的にリフトアップすることができる。
さらに、連結部３は、一端部５ａが一方側装着部１に装着される指の腹側に連結されると共に他端部５ｂが他方側装着部２に装着される指の背側に連結されるため、連結部３を右手Ｈ１と左手Ｈ２との間に配置することができ、指の動きが連結部３に阻害されることなく、スムーズにマッサージすることができる。
【００２３】
本実施の形態によれば、一方側装着部１を装着した指が顔Ｆのほほ部に配置されることにより、他方側装着部２を装着した指が連結部３の張力に従って首筋部にガイドされるため、肌の適切な位置を容易にマッサージすることができる。
なお、一方側装着部１を装着した指と他方側装着部２を装着した指とでマッサージされる肌の位置は、ほほ部と首筋部に限られるものではなく、連結部３をマッサージする位置に対応する長さのものと交換することにより、例えば、眉、目尻、口角および後頭部などの様々な位置をマッサージすることができる。
【００２４】
実施の形態２
実施の形態１では、２つの一方側装着部１が互いに分離して設けられると共に２つの他方側装着部２が互いに分離して設けられたが、肌の所定の位置をマッサージすることができればよく、これに限られるものではない。
例えば、図４に示すように、実施の形態１において、２つの他方側装着部２を互いに接合する接合部２１を新たに配置することができる。この接合部２１は、２つの他方側装着部２を覆うように配置されて両者を一体に接合するものである。
【００２５】
本実施の形態によれば、２つの他方側装着部２が互いに接合して設けられるため、連結部３の張力に従って左手Ｈ２の人差し指と中指を一体に移動させることができ、左手Ｈ２の指を首筋部に容易にガイドすることができる。また、他方側装着部２に左手Ｈ２の人差し指と中指がまとめて装着されるため、首筋部に力を集中して伝達することができ、首筋部をより効率的にマッサージすることができる。
【００２６】
実施の形態３
実施の形態１または２において、一方側装着部１および他方側装着部２は、肌に接触する内側部Ｔａの外面に美容用液体を吸収した液体吸収部を有することができる。
例えば、図５に示すように、実施の形態１において、２つの一方側装着部１の内側部Ｔａの外面に美容用液体を吸収する液体吸収部３１を新たに配置することができる。この液体吸収部３１は、一方側装着部１の先端部近傍、すなわち指先の腹部に対応する位置に配置される。このため、例えば肌の張りをだす化粧水などを液体吸収部３１に吸収させて指先を使ってマッサージを行うことにより、肌に化粧水を供給しつつ効果的にマッサージすることができる。
本実施の形態によれば、一方側装着部１の内側部Ｔａの外面に美容用液体を吸収した液体吸収部３１を有するため、マッサージ効果を向上させることができる。
【００２７】
実施の形態４
実施の形態１〜３では、連結部３は一定の長さで形成されたが、連結部の長さを調節する長さ調節部を配置して連結部３の長さをマッサージする肌の位置に応じて調節することができる。
例えば、図６に示すように、実施の形態１において、連結部３の長さを調節する長さ調節部４１を連結部３の中間部に新たに配置することができる。この長さ調節部４１は、連結部３を巻き取り可能に構成されており、連結部３を巻き取ることにより連結部３の長さを短くすることができ、巻き取られた連結部３を引き出すことにより連結部３の長さを長くすることができる。このため、上記のようにほほ部と首筋部をマッサージした後、長さ調節部４１により連結部３を、例えば耳の後側と後頭部の窪み部分、いわゆる天柱との距離に対応した長さに調節することにより、耳の後側と後頭部の天柱とを同時にマッサージすることができる。
【００２８】
本実施の形態によれば、連結部３の長さを調節する長さ調節部４１を有するため、連結部３を交換することなく、マッサージする位置に対応して連結部３の長さを調節することができ、肌の様々な位置を容易にマッサージすることができる。
なお、長さ調節部４１は、マッサージする位置に応じて連結部３の長さを自動的に調節することが好ましい。例えば、長さ調節部４１は、マッサージする位置に応じて連結部３の長さを予め決定し、連結部３が所定の長さとされた時点で連結部３の巻き取りまたは引き出しを自動的に停止することができる。
【００２９】
実施の形態５
実施の形態１〜４では、連結部３は一方側装着部１および他方側装着部２に固定されたが、一方側装着部１および他方側装着部２に対して連結部３を着脱可能に連結する着脱部を配置することにより、一方側装着部１、他方側装着部２または連結部３を交換可能に設けることもできる。
例えば、図７に示すように、実施の形態１において、一方側装着部１に対して連結部３を着脱可能に連結する着脱部５１を連結部３の一端部５ａに配置することができる。この着脱部５１は、フック形状を有し、その内側を開閉することにより連結部３の一端部５ａを着脱することができる。
【００３０】
本実施の形態によれば、一方側装着部１および他方側装着部２に着脱部５１を介して連結部３を着脱可能に連結するため、一方側装着部１、他方側装着部２または連結部３を容易に交換することができる。
【００３１】
実施の形態６
実施の形態１〜５において、一方側装着部１を装着した指が配置される肌の位置に対して連結部３が延びる方向を他方側装着部２を装着した指が配置される肌の位置へ規制する規制部を配置することができる。
例えば、図８に示すように、実施の形態１において、連結部３が延びる方向を規制する規制部６１を固定部４の縁部に新たに配置することができる。この規制部６１は、連結部３が延びる方向に対応した複数の凹凸を固定部４の縁部に形成するものである。
【００３２】
例えば、顔Ｆのほほ部に配置された一方側装着部１に対して規制部６１の凹部６２を首筋部に向かって延びるように形成することにより、凹部６２内に配置された連結部３の一端部５ａに対して他端部５ｂを首筋部に向かうように規制することができ、他方側装着部２を装着した指を首筋部に正確に配置することができる。
また、耳の裏側に配置された一方側装着部１に対して規制部６１の凹部６３を後頭部の天柱に向かって延びるように形成することにより、凹部６３内に配置された連結部３の一端部５ａに対して他端部５ｂを後頭部の天柱に向かうように規制することができ、他方側装着部２を装着した指を後頭部の天柱に正確に配置することができる。
【００３３】
本実施の形態によれば、連結部３が延びる方向を規制部６１で所定の方向へ規制するため、他方側装着部２を装着した指を肌の所定の位置へ正確に配置することができる。また、複数の凹部６２および６３が、マッサージする肌の位置に対応して延びるように形成されるため、連結部３の一端部５ａを所定の凹部６２および６３内に配置するだけで、他方側装着部２を装着した指を所望の位置に容易に配置することができる。
【００３４】
なお、上記の実施の形態１〜６では、一方の手の２つの指に２つの一方側装着部１が装着されると共に他方の手の２つの指に２つの他方側装着部２が装着されたが、一方の手の指に一方側装着部１を装着すると共に他方の手の指に他方側装着部２を装着できればよく、２つに限られるものではない。例えば、一方の手の１つの指に１つの一方側装着部１を装着すると共に他方の手の１つの指に１つの他方側装着部２を装着してもよい。ただし、一方の手の複数の指に複数の一方側装着部を装着すると共に他方の手の複数の指に複数の他方側装着部を装着することが好ましく、上記のように２つの一方側装着部１と２つの他方側装着部２を備えることがより好ましい。
また、一方側装着部と他方側装着部は同じ数でなくともよく、例えば、２つの一方側装着部と３つの他方側装着部を備えてもよい。
【００３５】
さらに、上記の実施の形態１〜６では、一方側装着部１と他方側装着部２は、袋状に形成されたが、指に装着できればよく、これに限られるものではない。例えば、一方側装着部と他方側装着部をリング状に形成することもでき、これを指に挿入して装着し、肌を指で直接マッサージすることができる。
【００３６】
また、上記の実施の形態１〜６では、連結部３は、弾性を有するように構成されていたが、伸縮可能に形成されて長尺方向へマッサージできればよく、これに限られるものではない。
例えば、図９に示すように、実施の形態１において、連結部３に換えて連結部７１を配置することができる。この連結部７１は、カールコードのようにらせん状に形成されたもので、長尺方向へ引っ張ることで伸長させることができる。ただし、連結部７１は、らせん状に形成することで厚みが大きくなるため、実施の形態１のように弾性により伸縮する構成とすることが好ましい。
【符号の説明】
【００３７】
１  一方側装着部、１ａ，２ａ  抜け防止部、２  他方側装着部、３，７１  連結部、４  固定部、５ａ  連結部の一端部、５ｂ  連結部の他端部、２１  接合部、３１  液体吸収部、４１  長さ調節部、５１  着脱部、６１  規制部、６２，６３  凹部、Ｐ１  開口部、Ｔａ  内側部、Ｔｂ  外側部、Ｈ１  右手、Ｈ２  左手、Ｆ  顔。
【図１】
0003203485.tif 000003
【図２】
0003203485.tif 000004
【図３】
0003203485.tif 000005
【図４】
0003203485.tif 000006
【図５】
0003203485.tif 000007
【図６】
0003203485.tif 000008
【図７】
0003203485.tif 000009
【図８】
0003203485.tif 000010
【図９】
0003203485.tif 000011